(57)【要約】【課題】  足温浴器の使用後に、体に無理な負担をかけないで、楽に内容器内の湯を捨てることができるようにする。【解決手段】  本体内に設けられた上面が開口した内容器１と、該内容器１を覆い本体の外郭を形成する外容器３と、該外容器３の底部に設けられた本体移動用の車輪１３と、前記外容器３の後側に設けられた本体移動用のハンドル１４とを備えた足温浴器において、前記外容器３の前側の壁面を底面から前方上方に向かって開いた勾配の角度で傾斜させるとともに、前記外容器３の前側の外壁に前記内容器１内の水７を捨てる際に浴室等の間仕切り等の敷居１７段差に当てて載せることのできる滑り止めリブ１５を設けた。【選択図】図１
2009100963.tif 000002
【特許請求の範囲】
【請求項１】
本体内に設けられた上面が開口した内容器と、該内容器を覆い本体の外郭を形成する外容器と、該外容器の底部に設けられた本体移動用の車輪と、前記外容器の後側に設けられた本体移動用のハンドルとを備えた足温浴器において、前記外容器の前側の壁面を底面から前方上方に向かって開いた勾配の角度で傾斜させるとともに、前記外容器の前側の外壁に前記内容器内の水を捨てる際に浴室等の間仕切り等の敷居段差に当てて載せることのできる滑り止めリブを設けたことを特徴とする足温浴器。
【発明の詳細な説明】
【技術分野】
【０００１】
本発明は、湯を用いて足を温める足温浴器に関するものである。
【背景技術】
【０００２】
従来のこの種の足温浴器は、図５に示すような構造のものが知られている。すなわち、上面が開口した略方形の内容器１９の外側の側壁及び底面に発熱体２０を設け、これらの内容器１９及び発熱体２０の外側を本体外郭を構成する外容器２１で覆っている。
【０００３】
内容器１９の底部には排水口２２が設けられ、この排水口２２に接続された排水ホース２３は外容器２１を貫通して外部に導出しており、その先端には止水コック２４が設けられている。排水ホース２３は、普段は外容器２１の保持部に引っ掛けられて保持されている。
【０００４】
外容器２１の外側底部には本体移動用の車輪２５が設けられている。また、外容器２１の後側には伸縮式のハンドル２６が設けられている。
【０００５】
以上のような足温浴器の使用方法は、ハンドル２６を上に伸ばし、このハンドル２６を手で引っ張って給湯口のある場所まで本体を移動させ、直接内容器１９内に給湯口から給湯する。そののち、電源を接続して発熱体２０に通電し、内容器１９内の水２７を適当な温度に加熱する。
【０００６】
使用者は湯の中に浴用薬剤を規定量投入し、例えば図６に示すように椅子２８に腰掛けて本体の内容器１９内の水（湯）２７に足を入れ、適当な時間保持することによって湯のエネルギーと浴用薬剤の作用で足の皮膚を通して人体を加温し、血液の流れにより、全身に湯の熱や薬剤の作用を伝えて血行を良くし、疲労回復，健康の維持増進を図る。
【０００７】
使い終わって内容器１９内の水２７を排水するときは、ハンドル２６を手で引っ張って浴室等へ本体を移動させ、排水ホース２３を外容器２１の保持部から取り外し、下に垂らして止水コック２４を開け、内容器１９内の水２７を排水する（例えば、特許文献１参照）。
【０００８】
【特許文献１】特開２００１−２９４２４号公報
【発明の開示】
【発明が解決しようとする課題】
【０００９】
しかしながら、上記の従来技術において、内容器１９内の水２７を排水するため浴室など排水場所に本体を移動させる場合、浴室の入り口に床との間仕切り等の敷居段差が有り、そのまま入ることが出来ない場合は、その場で排水ホース２３を敷居の上を乗り越えて浴室側へ垂らして排水するが、内容器１９内の水位が敷居を乗り越えた排水ホース２３の最上部より同等以下であると、排水落差が取れないため排水出来ない。このような場合は、本体重量と例えば湯量１０リットルの重量の併せて約１５kgの重さの足温浴器を持ち上げて浴室等の排水場所に入って排水ホース２３から排水するようにしていた。
【００１０】
したがって、狭い場所によってはそのまま排水場所に入ることが出来ず無理な姿勢で入らなければならなかったり、また、本体を持ち上げるときの姿勢によって内容器の水２７がこぼれたりして、女性や高齢者にとっては、重く、労力を要する作業であった。
【課題を解決するための手段】
【００１１】
本発明は上記の問題を解決するためになされたものであり、本体内に設けられた上面が開口した内容器と、該内容器を覆い本体の外郭を形成する外容器と、該外容器の底部に設けられた本体移動用の車輪と、前記外容器の後側に設けられた本体移動用のハンドルとを備えた足温浴器において、前記外容器の前側の壁面を底面から前方上方に向かって開いた勾配の角度で傾斜させるとともに、前記外容器の前側の外壁に前記内容器内の水を捨てる際に浴室等の間仕切り等の敷居段差に当てて載せることのできる滑り止めリブを設けたものである。
【発明の効果】
【００１２】
本発明の足温浴器は、上記のように構成したことにより、排水作業時、体に無理な負担をかけないで、楽に排水することができる。
【発明を実施するための最良の形態】
【００１３】
以下、本発明の一実施例を図１〜図４を参照して説明する。図１は本発明の一実施例を示す足温浴器の側面縦断面図、図２は同じく足温浴器の外観斜視図、図３は同じく足温浴器の要部縦断面図、図４は同じく足温浴器の使用状態を示す図である。
【００１４】
足温浴器本体１８は、上面が開口した内容器１と、内容器１を覆い外郭を形成する外容器３とで構成されている。上面が開口した内容器１は、耐熱温度が１２０℃程度の樹脂等の電気絶縁材料により成形され、使用者の両足と湯を収納するのに適した形状及び容積を有している。内容器１の外側の側壁及び底面には、内容器１内に貯水された水７を加熱するコードヒータで構成された発熱体２が設けられている。なお、発熱体２は内容器１の耐熱温度以下の温度で制御されるものである。
【００１５】
内容器１及び発熱体２の外側は、電気絶縁材料で成形された外容器３で覆われており、この外容器３で足温浴器本体１８の外郭を構成している。
【００１６】
外容器３の上部には、使用者が適当な湯の温度を設定することができ、また、現在の湯温を表示することが出来る操作部４が設けられている。
【００１７】
外容器３と内容器１との間の空間部には制御手段５が設けられていて、内容器１の外側に設けられたサーミスタ６の抵抗変化を検出して、内容器１内に注水された水７を３８℃〜４５℃程度に保つように発熱体２の出力を制御する。また、サーミスタ６の抵抗変化を検出して内容器１の湯温を操作部４に表示する。
【００１８】
内容器１の上面開口部は、耐熱性の樹脂で構成された着脱自在の外蓋８で覆うことが出来る。
【００１９】
内容器１の前側の底部には排水口９が設けられ、この排水口９には可撓性の排水ホース１０が接続されていて、外容器３を貫通して外部に導出しており、その先端には止水コック１１が設けられている。
【００２０】
排水ホース１０は、排水時には排水ホース１０先端の止水コック１１側を下に垂らして内容器１内の水７を排水可能とし、足温浴時は、その先端の止水コック１１を外容器３の外壁に設けた保持部１２に取り外し自在に引っ掛けて保持されている。
【００２１】
外容器３底部の四隅には本体移動用の車輪１３が設けられている。そして、内容器１に１０リットル程給水した状態では、足温浴器の全体重量は本体重量を合わせて約１５kg程にもなり、移動させるのに非常に重く苦痛であったものを、車輪１３により楽に移動させることが出来るようにしている。
【００２２】
また、車輪１３にはストッパー（図示せず）が取り付けられていて、足温浴時にはこのストッパーにより車輪１３の動きを停止することができる。
【００２３】
外容器３の後側には、本体移動用の伸縮式のハンドル１４が設けられており、その高さが外容器３の上面より上と下に伸縮し、足温浴中は邪魔にならないよう縮め、足温浴器本体１８を移動させる時は、運び易いようハンドル１４を伸ばし、手で引っ張って移動させることができる。
【００２４】
外容器３の前側の壁面は底部から前方上方に向かって開いた急傾斜勾配の角度θで傾斜させている。さらに、外容器３前側の傾斜した外壁には、内容器１内の湯を捨てる際に浴室等の間仕切り等の敷居１７段差に当てて載せるための突起状の滑り止めリブ１５が外容器３の前側外壁の幅一杯に複数本設けてある。これは、内容器１内の水７を排水する場合、浴室などの排水場所に本体を移動させる時、浴室の床に間仕切り等の敷居１７段差があって、そのまま入ることが出来ない場合は、その場で排水ホース１０を敷居１７の上を乗り越えて浴室側へ垂らし、内容器内の水７を排水するが、内容器１内の水位が敷居１７を乗り越えた排水ホース１０の最上部より同等以下になると排水落差が取れないため排水出来なくなる。そこで、図４に示すように内容器１前側の外壁に設けた突起状の滑り止めリブ１５を床の間仕切り等の敷居１７段差の上に引っ掛けて、ここを支点として本体後方を持ち上げ、軽く本体を傾斜させて内容器１内の水７を流出させることにより、楽に排水することができるようにしたものである。
【００２５】
なお、突起状の滑り止めリブ１５を床の間仕切り等の敷居１７段差の上に引っ掛けて載せる場合、外容器３の前側壁面が底部から前方上方に向かって開き角度θで傾斜させることにより、リブ１５が床の間仕切り等の敷居１７段差の上に引っかかって載せ易くなり非常に使い易くなるものである。そして、この外容器３前側の外壁の開き角度θは約１２０度である。この、開き角度θは、大きければ本体の上面形状が大型になり、小さければ敷居１７段差の上に引っ掛けて載せ難くなる。したがって、上記の開き角度は１１０度から１３５度とし、好ましくは１２０度である。
【００２６】
以上のように構成された足温浴器についてその作用を説明する。
【００２７】
足温浴器を使用する場合は、外蓋８を取り外し、予め適当な温度に調整した湯を内容器１内に入れ、その後、外蓋８を取り付けて電源を接続し、操作部４を操作して制御手段５を好みの設定湯温にセットする。これによって発熱体２に通電が開始され、サーミスタ６で検知した温度が設定湯温に到達して制御手段５が通電動作を制御するまで発熱を続け、設定された湯温に達すると通電を停止する動作を繰り返して、湯の温度を一定に保つ。
【００２８】
湯温が上昇したら使用者は外蓋８を取り外し、湯の中に浴用薬剤を規定量投入し、椅子等に腰掛けて本体前側より内容器１内の湯に足を入れ、適当な時間保持することによって湯のエネルギーと浴用薬剤の作用で足の皮膚を通して人体を加温し、血液の流れにより、全身に湯の熱や薬剤の作用を伝えて血行を良くし、疲労回復，健康の維持増進を図る。
【００２９】
そのとき、内容器１が外容器３と同様に前方に突き出た形状にすることにより、内容器１の開口部が広く、本体前側に傾斜した壁面を有しているため、足温浴中に膝を伸ばして楽な姿勢をとることができる。
【００３０】
使い終わった内容器１内の水７を排水するときは、ハンドル１４を伸ばし、ハンドル１４を持って浴室等へ本体を引っ張って移動させ、排水ホース１０を外容器３の保持部１２から取り外し、下に垂らして止水コック１１を開け、内容器１内の水７を排水する。
【００３１】
ところが、本体を引っ張って浴室等の排水場所に入る前に、床に間仕切り等の敷居１７段差があり、そのまま入ることが出来ない場合は、その場で排水ホース１０を敷居１７の上を乗り越えて浴室側へ垂らして排水し、内容器１内の水位が敷居１７を乗り越えた排水ホース１０の最上部より同等以下の排水落差が取れないために排水出来ない水７については、足温浴器本体１８の前側を浴室等の間仕切り敷居１７段差に当てると、敷居１７段差の上に外容器の張り出し部が容易に載り、外容器の前側外壁に設けられた滑り止めリブを敷居１７段差の上に当て、ここを支点として本体後方を持ち上げ、軽く本体を傾斜させて内容器１内の水７を流出させる。
【００３２】
このように、排水場所に間仕切り等の敷居１７段差が有って、そのまま入ることが出来ない場合には、本体を持ち上げたり、無理な姿勢で本体を持ち上げて内容器の水７をこぼしてしまったりすることなく、体に無理な負担をかけないで、楽に排水することができる。
【００３３】
なお、上記実施例で説明した外容器３の前側形状の開き角度θや、リブ１５の形状は上記の値や形状に限定されるものではなく、同等の効果を奏すれば良い。
【図面の簡単な説明】
【００３４】
【図１】本発明の一実施例を示す足温浴器の側面断面図である。
【図２】同じく足温浴器の外観斜視図である。
【図３】同じく足温浴器の要部縦断面図である。
【図４】同じく足温浴器の使用状態を示す図である。
【図５】従来の足温浴器の側面縦断面図である。
【図６】従来の一般的な足温浴器の使用状態を示す図である。
【符号の説明】
【００３５】
１  内容器
３  外容器
１３  車輪
１４  ハンドル
１５  リブ
【図１】
2009100963.tif 000003
【図２】
2009100963.tif 000004
【図３】
2009100963.tif 000005
【図４】
2009100963.tif 000006
【図５】
2009100963.tif 000007
【図６】
2009100963.tif 000008